(57)【要約】【課題】新聞などの紙面制作において紙面に掲載される画像を作成する際に所要の品質を確保しつつ作業効率を高めることができる画像処理方法を提供する。【解決手段】カラー原画像に対する所要のカラー画像処理、すなわち印刷に適した画質補正を行う最適化処理、画像から主要対象物を切り抜く切り抜き処理、並びに原画像の不要部分を取り除くトリミング及び背景設定の各処理を、その処理状況を表示部５に画面表示しながらオペレータの指示にしたがって各処理部２２・２３・２４が実行し、さらにモノクロ画像作成部２１においてカラー原画像からモノクロ原画像を作成し、カラー画像処理と並行してこれに対応するモノクロ画像処理を、表示部に画面表示することなく各処理部でモノクロ原画像に対して実行する。【選択図】　　図２
2004040448.tif 000002
【特許請求の範囲】
【請求項１】
カラー画像に対する所要のカラー画像処理を、その状況を画面表示しながらオペレータの指示にしたがって画像処理手段が実行すると共に、前記カラー画像からモノクロ画像を作成し、前記カラー画像処理と並行してこれに対応するモノクロ画像処理を、その状況を画面表示することなく画像処理手段が前記モノクロ画像に対して実行することを特徴とする画像処理方法。
【請求項２】
処理対象画像に対して不要部分を取り除くトリミング処理を行うに際して、このトリミング処理に関する条件が互いに異なる複数の処理パターンに関する情報を記憶手段に予め登録しておき、オペレータの指示があると、トリミング処理手段が前記複数の処理パターンごとのトリミング画像をそれぞれ作成することを特徴とする画像処理方法。
【請求項３】
前記トリミング処理と共に、処理対象画像に対して主要対象物の画像域を切り抜く切り抜き処理を行うものとし、この切り抜き処理で得られる主要対象物の画像域の背景に設定される背景画像を前記複数の処理パターンごとに予め登録しておき、その複数の処理パターンごとに背景画像が設定されたトリミング画像を作成することを特徴とする請求項２に記載の画像処理方法。
【請求項４】
処理対象画像に対して不要部分を取り除くトリミング処理を行うに際して、このトリミング処理の状況を画面表示すると共に、前記処理対象画像内の主要対象物に対するトリミング枠の位置を判別する補助線を前記トリミング枠内に画面表示し、これに基づいてオペレータが前記トリミング枠の位置を修正する操作を行うことを特徴とする画像処理方法。
【請求項５】
原画像に対して出力に適した画質の最適化を行う最適化処理により得られた最適化画像から主要対象物を切り抜く切り抜き処理を行うに際して、この切り抜き処理のための専用の画像を前記原画像から複製し、この切り抜き処理専用の画像に対して所要の画質補正を行った上で切り抜きパス情報を抽出し、ここで得られた切り抜きパス情報に基づいて前記最適化画像に対して切り抜き処理を実行することを特徴とする画像処理方法。
【請求項６】
処理対象画像に対する最適化処理として明暗補正処理を行うに際して、前記処理対象画像について画素ごとの明暗の度合いを示す値の分布状況を求めた後、この明暗の分布状況において画素数が最大となる値に基づいて暗領域及び明領域を除く中間補正領域を設定し、この中間補正領域を許容範囲全域に引き延ばすように画素データの変換を行うことを特徴とする画像処理方法。
【請求項７】
前記明暗補正処理を行うに際して、処理の基準となる画像エリアがオペレータにより指定され、その指定画像エリアを対象にして前記中間補正領域を設定し、これを前記処理対象画像全体に適用して画素データの変換を行うことを特徴とする請求項６に記載の画像処理方法。
【請求項８】
処理対象画像に対する最適化処理として色補正処理を行うに際して、処理の基準となる画像エリア、並びにその画像エリアの目標となる色がオペレータにより指定され、この指定の画像エリアの色が指定の色となるようにＲＧＢの各色成分を同時に変換する色相回転処理を前記処理対象画像全体に対して実行することを特徴とする画像処理方法。
【請求項９】
人物が撮影されたカラー原画像を元にして印刷物に掲載する顔写真を作成するために、処理対象画像に対して印刷に適した画質の最適化処理を行う最適化処理手段と、処理対象画像に対して人物の画像域を切り抜く切り抜き処理を行う切り抜き処理手段と、処理対象画像に対して顔写真として不要な部分を取り除くトリミング処理を行うトリミング処理手段とを有すると共に、
前記カラー原画像からモノクロ原画像を作成するモノクロ画像作成手段と、前記カラー原画像を対象にして前記各処理手段で行われるカラー画像処理を表示手段に画面表示しながら実行させると共に、前記モノクロ原画像を対象にして前記各処理手段で行われるモノクロ画像処理を表示手段に画面表示することなく実行させる制御手段とを有することを特徴とする画像処理装置。
【発明の詳細な説明】
【０００１】
【発明の属する技術分野】
本発明は、新聞や雑誌などの紙面制作において紙面に掲載される画像を作成するなどの目的で、トリミング、切り抜き、並びに画質の最適化などの画像処理を行う画像処理方法及び画像処理装置に関するものである。
【０００２】
【従来の技術】
人物が撮影された写真を元にして印刷物に掲載する顔写真を作成する場合、顔写真として不要な部分を取り除くトリミング処理の他、人物の画像域のみを残して背景を切り取って適当な背景に差し替える処理が必要になる。このような場合、汎用の画像処理ソフトを用いてオペレータが手入力で行う方法がある。また特開２０００−３６０３２号公報に開示されたように、トリミングや切り抜きなどの処理を自動化するための画像処理方法も知られている。
【０００３】
また、印刷物に掲載する画像を作成するにあたっては、印刷物上での仕上がりを良くするための画質の最適化処理が必要であるが、特に新聞や雑誌の紙面に掲載する画像の場合、記事のテーマに対応する人物などの対象物を画像内で即座に判別し得る見易い画像にするための明暗補正処理が必要な場合がある。また人物の顔写真を一覧にした際に一部の顔写真が不自然にならないように人物の肌色を概ね統一する色補正処理が必要な場合がある。このような場合、処理対象画像の濃度ヒストグラムにおける濃度分布を許容濃度範囲の全体に引き延ばすように画素データの変換を行う明暗補正処理や、各色の成分別にガンマカーブなどを用いて色補正を行う色補正処理が一般的に行われている。
【０００４】
【発明が解決しようとする課題】
ところが、汎用の画像処理ソフトで切り抜きなどの画像処理を行う場合、オペレータの作業負担が大きい上にオペレータの技能の差により均一な処理ができない不都合が生じる。他方、前記公報に記載の方法では、背景のみの画像が必要となるが、これを入手できない場合も多くあり、利用が制限される不都合がある。さらに多数の人物の顔写真を紙面に並べて掲載する場合のように複数の画像を一覧にする場合には、入手した雑多な写真を手際良く処理して適切な顔写真を作成する必要があり、このような用途には不向きである。
【０００５】
また、前記従来の明暗補正処理方法では、濃度値の分布が許容濃度範囲の略全域に及ぶ場合には処理の効果が得られない不都合があり、このような場合には、濃度ヒストグラム上で許容濃度範囲の全体に引き延ばす処理の対象領域をオペレータが指定することで対処することも可能であるが、これでは作業効率が低下すると共に品質が一定しない不都合が生じる。さらに、前記従来の色補正処理では、人物の肌部分など、着目した特定の部分の色が所要の色になるように色補正を行うと、画像全体の色バランスが原画像と異なるものになり、印象が極端に異なる不自然な画像に変化してしまう不都合があり、高度な技能を有しないオペレータでも適切な品質の色補正画像を簡単に作成する方法が望まれる。
【０００６】
本発明は、このような従来技術の問題点を解消するべく案出されたものであり、その主な目的は、新聞などの紙面制作において紙面に掲載される画像を作成する際に所要の品質を確保しつつ作業効率を高めることができる画像処理方法及び画像処理装置を提供することにある。
【０００７】
【課題を解決するための手段】
このような目的を果たすために、本発明においては、請求項１に示すとおり、カラー画像に対する所要のカラー画像処理を、その状況を画面表示しながらオペレータの指示にしたがって画像処理手段が実行すると共に、カラー画像からモノクロ画像を作成し、カラー画像処理と並行してこれに対応するモノクロ画像処理を、その状況を画面表示することなく画像処理手段がモノクロ画像に対して実行するものとした。これによると、新聞紙面制作などにおいてカラー画像とモノクロ画像との双方を用意しておく必要がある場合に、モノクロ画像処理のための格別な操作を行うことなくカラー画像と共に適切なモノクロ画像が作成され、オペレータの作業を省力化することができる。さらに画像処理の処理条件（各種パラメータ）をカラー画像処理とモノクロ画像処理とで別々に設定することができるため、単に処理済みカラー画像をモノクロ化する場合に比較して高品質なモノクロ画像を得ることができる。
【０００８】
また本発明においては、請求項２に示すとおり、処理対象画像に対して不要部分を取り除くトリミング処理を行うに際して、このトリミング処理に関する条件が互いに異なる複数の処理パターンに関する情報を記憶手段に予め登録しておき、オペレータの指示があると、トリミング処理手段が複数の処理パターンごとのトリミング画像をそれぞれ作成するものとした。これによると、新聞紙面制作などにおいて縦横寸法などが異なる複数種類のトリミング画像を用意しておく必要がある場合に、処理パターンごとにオペレータが逐一操作する手間を省くことができる。
【０００９】
前記画像処理方法においては、請求項３に示すとおり、トリミング処理と共に、処理対象画像に対して主要対象物の画像域を切り抜く切り抜き処理を行うものとし、この切り抜き処理で得られる主要対象物の画像域の背景に設定される背景画像を複数の処理パターンごとに予め登録しておき、その複数の処理パターンごとに背景画像が設定されたトリミング画像を作成する構成とすることができる。これによると、差し替える背景画像を別途指定する手間を省くことができ、適当な背景が設定されたトリミング画像を迅速に作成することができる。
【００１０】
本発明においては、請求項４に示すとおり、処理対象画像に対して不要部分を取り除くトリミング処理を行うに際して、このトリミング処理の状況を画面表示すると共に、処理対象画像内の主要対象物に対するトリミング枠の位置を判別する補助線をトリミング枠内に画面表示し、これに基づいてオペレータがトリミング枠の位置を修正する操作を行うものとした。これによると、トリミング枠内の補助線がトリミング枠の位置合わせの基準となり、トリミング画像の中心と主要対象物の中心とのずれを修正したり、全体に対する主要対象物のバランスを整える微調整作業が容易になる。前記の補助線は、トリミング枠の中心を示す十字状をなすもの、トリミング枠に内接する略円形状をなすものが好適である。
【００１１】
本発明においては、請求項５に示すとおり、原画像に対して出力に適した画質の最適化を行う最適化処理により得られた最適化画像から主要対象物を切り抜く切り抜き処理を行うに際して、この切り抜き処理のための専用の画像を原画像から複製し、この切り抜き処理専用の画像に対して所要の画質補正を行った上で切り抜きパス情報を抽出し、ここで得られた切り抜きパス情報に基づいて最適化画像に対して切り抜き処理を実行するものとした。これによると、出力のための画質補正とは別に切り抜きパス情報抽出処理に適した画質補正を行うことができ、切り抜きパス情報抽出処理の精度を高めることができる。切り抜きパス情報抽出処理に適した画質補正としては、強めのぼかし処理、白黒２値化処理が好適である。
【００１２】
本発明においては、請求項６に示すとおり、処理対象画像に対する最適化処理として明暗補正処理を行うに際して、処理対象画像について画素ごとの明暗の度合いを示す値の分布状況を求めた後、この明暗の分布状況から画素数が最大となる値に基づいて暗領域及び明領域を除く中間補正領域を設定し、この中間補正領域を許容範囲全域に引き延ばすように画素データの変換を行うものとした。これによると、中間補正領域の境界値（暗値及び明値）が許容範囲の限界値になるように設定され、画素の明暗の度合いを示す値（濃度や明度、輝度）の分布が許容範囲の略全域に及ぶ場合でも、明暗が強調された見易い画像を得ることができる。しかも、画素数が最大となる最多値に基づいて中間補正領域が一律に設定され、オペレータが中間補正領域の境界値を指定する手間を省くことができるため、迅速な画質補正が可能になる。
【００１３】
この場合、中間補正領域を設定する際に、前後の画素数を加算して画素数が最大となる最多値を判定するものとすると良く、さらに前後の画素数の変動が著しい場合（画素数の分布曲線の傾きが急な場合）を除外するようにすると良く、これによると特定の値で画素数が突出する影響で中間補正領域を適切に設定することができなくなる不都合を避けることができる。また、中間補正領域の境界値（暗値及び明値）は、画素数が最大となる最多値に対して画素数が所定割合となることを条件に設定すれば良い。
【００１４】
前記画像処理方法においては、請求項７に示すとおり、明暗補正処理を行うに際して、処理の基準となる画像エリアがオペレータにより指定され、その指定画像エリアを対象にして中間補正領域を設定し、これを処理対象画像全体に適用して画素データの変換を行う構成とすることができる。これによると、顔写真における顔などの主要対象物が描かれた画像エリアを最適な状態に画質補正することができる。
【００１５】
本発明においては、請求項８に示すとおり、処理対象画像に対する最適化処理として色補正処理を行うに際して、処理の基準となる画像エリア、並びにその画像エリアの目標となる色がオペレータにより指定され、この指定の画像エリアの色が指定の色となるようにＲＧＢの各色成分を同時に変換する色相回転処理を処理対象画像全体に対して実行するものとした。これによると、画像全体の色バランスを保持したまま所定の画像エリア内の色を所要の色に変換することができ、高度な技能を有しないオペレータでも色バランスが整った自然な状態の色補正画像を迅速に作成することができる。
【００１６】
本発明においては、請求項９に示すとおり、画像処理装置の構成を、人物が撮影されたカラー原画像を元にして印刷物に掲載する顔写真を作成するために、処理対象画像に対して印刷に適した画質の最適化処理を行う最適化処理手段と、処理対象画像に対して人物の画像域を切り抜く切り抜き処理を行う切り抜き処理手段と、処理対象画像に対して顔写真として不要な部分を取り除くトリミング処理を行うトリミング処理手段とを有すると共に、カラー原画像からモノクロ原画像を作成するモノクロ画像作成手段と、カラー原画像を対象にして各処理手段で行われるカラー画像処理を表示手段に画面表示しながら実行させると共に、モノクロ原画像を対象にして各処理手段で行われるモノクロ画像処理を表示手段に画面表示することなく実行させる制御手段とを有するものとした。これによると、カラー画像と共に適切なモノクロ画像が作成され、新聞紙面制作などにおいてカラー画像とモノクロ画像との双方を用意しておく必要がある場合に、オペレータの作業を省力化することができる。
【００１７】
【発明の実施の形態】
以下に添付の図面を参照して本発明の実施の形態について詳細に説明する。
【００１８】
図１は、本発明が適用された画像処理装置の概略構成を示すブロック図である。この画像処理装置は、新聞などの紙面制作において紙面に掲載される画像を作成するものであり、写真プリントの読み取りやディジタルカメラからのデータ転送などで所要の画像データを入力する画像入力部１と、ここで得られるカラー原画像（ラスター画像）に対して所要の画像処理を行う画像処理部２と、演算用メモリ３と、画像処理部２で生成した画像データやプログラムなどが格納される記憶部４と、画像処理部２での処理状況を画面表示する表示部５と、キーボードやポインティングデバイスなどからなる入力部６と、画像処理部２で得られた画像データを印刷出力する画像出力部７と、各部の動作を制御する主制御部（制御手段）８とを有している。
【００１９】
図２は、図１に示した画像処理装置での処理の概要を示している。この画像処理システムでは、カラー原画像に対する所要のカラー画像処理、すなわち印刷に適した画質補正を行う最適化処理、画像から主要対象物を切り抜く切り抜き処理、並びに原画像の不要部分を取り除くトリミング及び背景設定の各処理が、その処理状況を表示部５に画面表示しながらオペレータの指示にしたがって各処理部２２・２３・２４で実行され、さらにモノクロ画像作成部２１においてカラー原画像からモノクロ原画像が作成され、カラー画像処理と並行してこれに対応するモノクロ画像処理が、表示部５に画面表示することなく各処理部２２・２３・２４でモノクロ原画像に対して実行される。
【００２０】
具体的には、まず画像入力部１で得られたカラー原画像を元にモノクロ画像作成部２１にてモノクロ原画像が作成され、両原画像の各々に対して最適化処理部２２において最適化処理が行われ、カラー及びモノクロの各最適化画像が生成する。ついで切り抜きパス情報抽出処理あるいはオペレータの手入力で得られた切り抜きパス（画像内の主要対象物とその背景との境界を表す輪郭線）に関する情報に基づいて切り抜き処理部２３においてカラー及びモノクロの各最適化画像に対して切り抜き処理が行われ、カラー及びモノクロの各切り抜き画像が生成する。そしてトリミング・背景処理部２４においてトリミング処理及び背景設定処理が行われ、カラー及びモノクロの各トリミング画像が生成する。なお、風景写真のように切り抜き処理並びにトリミング・背景処理が不要な場合は、カラー及びモノクロの各最適化画像を生成した段階で処理が終了する。
【００２１】
図３は、図１に示した画像処理装置での明暗補正処理の概要を示している。最適化処理部２２では、明暗を強調して見易い画像を得るために明暗補正処理が行われ、この明暗補正処理では、処理対象画像について濃度ヒストグラム（画素ごとの明暗の度合いを示す値の分布状況）を求め、この濃度ヒストグラムにおいて頻度（画素数）が最大となる最多濃度値（最多値）に基づいて暗領域及び明領域を除く中間補正領域を設定し、この中間補正領域を濃度値の許容範囲全域に引き延ばすように画素データの変換が行われる。中間補正領域の境界値（暗値及び明値）は、最多濃度値に対応する最大頻度（画素数）に対して所定割合となる基準頻度（画素数）となることを条件に設定される。
【００２２】
この明暗補正処理では、実測された分布領域より狭い範囲の中間補正領域を許容範囲全域に拡大するデータ変換処理が行われ、濃度値の分布が許容範囲の略全域に及ぶ場合でも十分な明暗強調効果が得られる。ここでは、中間補正領域に属する画素は明暗が強調され、中間補正領域外の暗領域に属する画素は一様に許容範囲の暗側の限界値（黒）に変換され、また明領域に属する画素は一様に許容範囲の明側の限界値（白）に変換される。
【００２３】
最適化情報抽出処理部２６では、前記のとおり処理対象画像から最適化情報（暗値及び明値）が抽出されるが、特定の画像エリア（例えば人物の顔部分）に着目してその画像エリア内を最適な状態にするため、最適化情報の抽出対象を一部の画像エリアに限定することができる。すなわち処理対象画像に対してオペレータにより画像エリアが指定されると、その指定画像エリアを対象にして最適化情報抽出処理部２６で濃度ヒストグラムの生成、並びにこれに基づく暗値及び明値の決定の処理が行われ、これに基づいて最適化処理部２２において処理対象画像全体に対する明暗補正処理が行われる。
【００２４】
図４は、図３に示した最適化情報抽出処理部での処理の概要を示す図である。中間補正領域の基準となる最多濃度値は、前後の濃度値の画素数を加算して判定が行われ、これにより部分的な突出値の影響で適切な中間補正領域の設定ができなくなる不都合を避けることができる。また、暗値及び明値を決定する際には、画素数が急激に変動する場合を除外する。これには前後の画素数の変化状況を示す傾きを算出し、これを予め設定されたしきい値と比較することで暗値及び明値として適切か否かの判定を行う。
【００２５】
図５は、図３に示した明暗補正処理の手順を示すフロー図である。まず最適化情報の抽出対象を画像全体とするか、あるいは指定画像エリアに限定するかの指示を行った上で、ステップ１０１にて濃度ヒストグラムが作成される。そしてステップ１０２にてこの濃度ヒストグラムから処理対象画像内の最多濃度値が検出され、つづくステップ１０３にて明値及び暗値の条件となる基準頻度（画素数）が算出される。ついでステップ１０４にて明値及び暗値の判定基準となる傾きのしきい値が設定される。
【００２６】
次にステップ１０５にて暗値の条件、すなわち基準頻度となる濃度値を許容範囲の暗側の端から明方向に探索し、該当する濃度値が検出されるとステップ１０６に進んで当該濃度値での傾きをしきい値と比較し、しきい値外であればステップ１０５に戻り、さらに明方向に暗値の探索を続ける。他方、当該濃度値での傾きがしきい値内であればステップ１０７に進み、当該濃度値が、頻度と傾きの各条件を満たす最も暗い値として暗値に設定される。
【００２７】
次にステップ１０８にて明値の条件、すなわち度数が基準頻度となる濃度値を濃度範囲の明側の端から暗方向に探索し、該当する濃度値が検出されるとステップ１０９に進んで当該濃度値での傾きをしきい値と比較し、しきい値外であればステップ１０８に戻り、さらに暗方向に明値の探索を続ける。他方、当該濃度値での傾きがしきい値内であればステップ１１０に進み、当該濃度値が、頻度と傾きの各条件を満たす最も明るい値として明値に設定される。そしてステップ１１１にて暗値及び明値を用いた明暗補正処理が実行される。
【００２８】
図６は、図１に示した画像処理装置での色補正処理の概要を示している。最適化処理部２２では、前記の明暗補正処理の他に、画像の色を調整する色補正処理が行われ、この色補正処理では、所定の画像エリア内の色が所要の色となるようにＲＧＢの各色成分を同時に変換する色相回転処理が行われる。ここでは、最適化情報抽出処理部２６において、オペレータにより指定された画像エリアの色と補正目標に設定された色とを比較して色差（最適化情報）が求められ、この色差に基づいて最適化処理部２２において画像全体に対して色相回転処理が行われる。特にここでは、顔写真を一覧にする場合に人物の肌色を概ね統一するため、人物の肌部分が最適化情報抽出エリアとして指定されている。
【００２９】
図７は、図６に示した色補正処理の手順を示すフロー図である。まずステップ２０１にて最適化情報を抽出するための画像エリアがオペレータにより指定され、つづくステップ２０２にて指定画像エリア内の画素が所要の色になるように補正目標値が設定される。次にステップ２０３にて指定画像エリアについて色成分ごとのヒストグラムが作成され、つづくステップ２０４にてそのヒストグラムの代表値と補正目標値とを比較して色差が算出される。そしてステップ２０５にてその色差に基づいて画像全体に対して色相回転処理が行われる。
【００３０】
図８は、図１に示した画像処理装置での切り抜き処理の概要を示している。切り抜き処理部２３では、最適化処理部２２で得られた最適化画像から主要対象物（ここでは人物）を切り抜く切り抜き処理が行われるが、このとき、切り抜き処理のための専用の画像が原画像から複製され、この切り抜き処理専用の画像に対して切り抜き用画質補正処理部２７にて所要の画質補正を行った上で、切り抜きパス情報抽出処理部２８にて切り抜きパス情報が抽出され、ここで得られた切り抜きパス情報に基づいて最適化画像に対する切り抜き処理が切り抜き処理部２３で行われる。
【００３１】
図９は、図８に示した切り抜き用画質補正処理部での処理の概要を示している。切り抜き用画質補正処理部では、切り抜きパス情報抽出処理の精度を高めるため、周囲の画素の成分値で平均化するぼかし処理が強めに実施される。また必要に応じて白黒２値化処理が行われる。この切り抜き用画質補正を行わない場合には、ＪＰＥＧ圧縮方式によるスクラッチノイズなどの影響で図示するように適切な切り抜きパスが得られないが、切り抜き用画質補正を行うと、適切な切り抜きパスが得られる。なお、切り抜きパス情報は、所定の閾値を超えるエッジ強度を有することを条件に切り抜きパスを構成する画素を探索することで抽出することができる。
【００３２】
図１０は、図１に示した画像処理装置でのトリミング・背景処理の概要を示している。トリミング・背景処理部２４では、原寸画像に対して顔写真として不要な部分を取り除くトリミング処理が行われるが、ここではトリミング処理に関する条件が互いに異なる複数の処理パターンに関する情報を記憶部４に予め登録しておき、オペレータの指示があると、トリミング・背景処理部２４が複数の処理パターンごとのトリミング画像をそれぞれ作成するようになっている。
【００３３】
ここでは、複数の処理パターンごとのトリミング・背景テーブルが記憶部４に記憶され、オペレータが指定した処理パターンに対応するトリミング・背景テーブルを読み出してトリミング処理が行われる。トリミング・背景テーブルには、トリミング画像の縦横寸法、トリミング画像全体に対する顔の天地方向の寸法割合（顔比率：ａ／Ａ）、トリミング画像全体に対する頭上空間の天地方向の寸法割合（頭上空比率：ｂ／Ａ）に関する情報が格納されている。
【００３４】
トリミング処理を行うにあたっては、トリミング処理の状況が表示部に画面表示され、まずオペレータにより原寸画像上で顔の天地左右の位置を指定する操作が行われる。ここでは、天地左右の指示線が顔の天地左右の端にくるようにオペレータが操作し、この天地左右の指示線の位置から原寸画像全体に対する顔の配置状態に関するトリミング座標情報が生成する。
【００３５】
次にオペレータによりトリミング枠の位置を修正する操作が行われる。前記の天地左右の指定操作により生成したトリミング座標情報がトリミング枠修正処理部２９に送られ、これとトリミング・背景テーブルに基づいて、まずトリミング枠の中心と顔との中心が整合するようにトリミング枠が画面表示され、トリミング枠の中心と顔の中心とがずれているなど、トリミング枠と顔とのバランスが悪い場合には、オペレータが手入力でトリミング枠の位置を修正してバランスを整える。このとき、入力部のキー操作に応じてトリミング枠を上下左右に例えば１ｄｏｔずつ移動させるものとすれば良い。
【００３６】
このトリミング枠修正操作の際には、画像内の主要対象物に対するトリミング枠の位置を判別する補助線がトリミング枠内に表示され、これに基づいてオペレータがトリミング枠の位置を微調整することができる。ここではトリミング枠内に対角線方向のＸ字状の補助線と、トリミング枠に内接する楕円状の補助線とが表示されている。なお、図１１に示すように２等分線方向の十字状の補助線をトリミング枠内に表示させるようにしても良い。
【００３７】
またトリミング・背景処理部２４では、トリミング処理に先だって背景設定処理が行われ、処理パターンの指定により、トリミング処理に関する条件の他に、切り抜き処理で得られた主要対象物の画像域の背景に設定される背景画像が指定され、処理パターンごとに背景画像が設定されたトリミング画像が作成される。ここでは、処理パターンごとに用意されたトリミング・背景テーブルに背景色に関する情報が格納されている。
【００３８】
【発明の効果】
このように本発明によれば、新聞などの紙面制作において紙面に掲載される画像を作成する際に行われるトリミング、切り抜き、並びに画質の最適化などの画像処理において、印刷物上で見栄えのする十分な品質の画像を効率良く作成することが可能になる。
【図面の簡単な説明】
【図１】本発明が適用された画像処理装置の概略構成を示すブロック図
【図２】図１に示した画像処理装置での処理の概要を示す図
【図３】図１に示した画像処理装置での明暗補正処理の概要を示す図
【図４】図３に示した最適化情報抽出処理部での処理の概要を示す図
【図５】図３に示した明暗補正処理の手順を示すフロー図
【図６】図１に示した画像処理装置での色補正処理の概要を示す図
【図７】図６に示した色補正処理の手順を示すフロー図
【図８】図１に示した画像処理装置での切り抜き処理の概要を示す図
【図９】図８に示した切り抜き用画質補正処理部での処理の概要を示す図
【図１０】図１に示した画像処理装置でのトリミング・背景処理の概要を示す図
【図１１】図１０に示したトリミング枠修正処理部により画面表示される補助線の他の例を示す図
【符号の説明】
１　画像入力部
２　画像処理部
３　演算用メモリ
４　記憶部
５　表示部
６　入力部
７　画像出力部
８　主制御部
２１　モノクロ画像作成部
２２　最適化処理部
２３　切り抜き処理部
２４　トリミング・背景処理部
２６　最適化情報抽出処理部
２７　切り抜き用画質補正処理部
２８　切り抜きパス情報抽出処理部
２９　トリミング枠修正処理部
【図１】
2004040448.tif 000003
【図２】
2004040448.tif 000004
【図３】
2004040448.tif 000005
【図４】
2004040448.tif 000006
【図５】
2004040448.tif 000007
【図６】
2004040448.tif 000008
【図７】
2004040448.tif 000009
【図８】
2004040448.tif 000010
【図９】
2004040448.tif 000011
【図１０】
2004040448.tif 000012
【図１１】
2004040448.tif 000013